Podtech/llm-jp-corpus-v4-ja_patent huggingface dataset:
(57)【特許請求の範囲】
【請求項１】
複数の小穴を備えると共に、蛇腹部分で長さを調節可能である蛇腹状胴筒と、複数の小穴と、足首部分に突起とを備え、さらに、足底部分に開閉自在であり、穴が開けられた底フタが設けられている足型筒とを互いに装着することにより構成され、足型筒の突起には、ブーツ全体に被いかぶせるための保護用カバーを取り付けたカバー付きブーツキーパー。
【請求項２】
蛇腹状胴筒と足型筒の装着部分に、合わせ溝を設けた請求項１のカバー付きブーツキーパー。
【請求項３】
足型筒に保護用カバーを固定するバンドを設けた請求項１又は請求項２のカバー付きブーツキーパー。
【発明の詳細な説明】
【技術分野】
【０００１】  本発明は、ブーツの型崩れ防止とキーパー内に乾燥剤を投入できる埃除けのカバー付きブーツのキーパーに関するものである。
【背景技術】
【０００２】  従来のブーツキーパーは、折れ皺防止のための胴筒タイプやクリップタイプで固定するものや消臭剤を封入した円柱状のものが主流である。
【先行技術文献】
【０００３】
【特許文献１】  特開２００６−２３０８７８号公報
【発明の概要】
【発明が解決しょうとする課題】
【０００４】  ブーツの長さに対応しないキーパーになるとブーツの型崩れや皺の原因にもなり埃や湿気、悪臭などはブーツの損傷を招く。
本発明は以上の問題点を解決するものである。
【課題を解決するための手段】
【０００５】  中が空洞の蛇腹状胴筒と足型筒を設ける。足型筒底に穴開きのフタを設ける。２体の筒には無数の小穴を設ける。足型筒の突起にカバーを取り付け固定する。以上の構成よりなるカバー付きブーツキーパー。
【発明の効果】
【０００６】    ブーツの長さに対応でき、空洞のキーパーの中に乾燥剤や芳香剤を投入できる。キーパーの中から引き出したカバーでブーツを被うことで埃からブーツを保護する。
【図面の簡単な説明】
【０００７】
【図１】本発明の斜視図
【図２】本発明の斜視図
【図３】本発明の斜視図
【図４】本発明の斜視図
【図５】本発明の使用状態を示す斜視図
【図６】本発明の使用状態を示す斜視図
【発明を実施するための形態】
【０００８】以下、本発明の実施の形態を説明する。
（イ）蛇腹状胴筒（１）と足型筒（２）を設ける。
（ロ）蛇腹状胴筒（１）の下部と足型筒（２）の突起下に合わせ溝（３）を設ける。
（ハ）蛇腹状胴筒（１）と足型筒（２）に複数の小穴（４）をあける。
（二）足型筒（２）に穴開きのフタ底（５）を設ける。
（ホ）足型筒（２）の突起（６）に保護用カバー（７）をかぶせバンド（８）で固定する。
本発明は以上のような構造である。
本発明を使用するときは、足型筒（２）の突起（６）に保護用カバー（７）をかぶせ、バンド（８）で固定する。蛇腹状胴筒（１）と足型筒（２）の溝（３）で閉め合わせキーパー（９）にする。キーパー（９）の筒の中から保護用カバー（７）を引き上げる。  ブーツ（１０）の中にキーパー（９）を挿入し蛇腹状胴筒（１）の蛇腹部分で長さを調節する。保護用カバー（７）をブーツ（１０）全体に被いかぶせる。
乾燥剤、芳香剤、消臭剤などは足型筒の底フタ（５）を開け中に投入、筒にあけた小穴（４）からブーツ全体に芳香剤などがいきわたる。足型筒の底フタ（５）は穴開きなので一番湿気を帯びる靴底の湿気を吸収する。
保護用カバー（６）を私物のストッキング又は不織紙で代用してもよい。
【符号の説明】
【０００９】（１）蛇腹状胴筒、（２）足型筒、（３）溝、（４）小穴、（５）底フタ、（６）突起、（７）保護用カバー、（８）バンド、（９）キーパー、（１０）ブーツ、
【図１】
0005702166.tif 000002
【図２】
0005702166.tif 000003
【図３】
0005702166.tif 000004
【図４】
0005702166.tif 000005
【図５】
0005702166.tif 000006
【図６】
0005702166.tif 000007
(57)【特許請求の範囲】
【請求項１】
ブラウン管に巻かれた防爆用バンドの端部をブラウン管から引きはがす工程と、
この引きはがされた端部を互いに隣接する複数の棒状の爪によって挟む工程と、
上記爪をこれら爪に共通な軸の周りに回動して上記防爆用バンドを巻き取る工程と、上記爪を上記共通の軸の周りに回動すると同時に上記ブラウン管を上記爪の回動方向と同一方向に、上記ブラウン管のパネル表面の中心と上記ブラウン管のネック部を通る軸線を中心として回動する工程と、
より成ることを特徴とするブラウン管の防爆用バンドの取外し方法。
【請求項２】
上記防爆用バンドがガイドによって支持されながら巻き取られることを特徴とする請求項１記載のブラウン管の防爆用バンドの取外し方法。
【発明の詳細な説明】
【技術分野】
【０００１】
本発明は、ブラウン管の防爆用バンドの取外し方法、特に、防爆用バンドの引きはがし端部を巻き取ることによって防爆用バンドをブラウン管から取り外す、ブラウン管の防爆用バンドの取外し方法に関するものである。
【背景技術】
【０００２】
図５及び図６において、１は従来既知のブラウン管、２はガラスから成る一般に矩形状のパネル、３はこのパネル２に接合された鉛を含むガラスから成る漏斗状のファンネル、４はそのネック部、５は上記パネル２とファンネル３の接続部外周に巻回せしめ金属性の防爆用バンドを示す。
【０００３】
この防爆用バンド５は、パネルとファンネルの分別工程において、取り外す作業が必要となる。このためのブラウン管の防爆用バンドの取外し装置としては特許文献１に示されたものがある。
【０００４】
この防爆用バンドの取外し装置では、バンドをバンドソーで切断してバンドの端部を引き出し、バンドを取外すようにしている。
【先行技術文献】
【特許文献】
【０００５】
【特許文献１】特開平１−２５５１２９号公報
【発明の概要】
【発明が解決しようとする課題】
【０００６】
然しながら、このような防爆用バンドの取外し装置による取外しでは、取外したバンドの占有容積を減少できずその移送や処理が困難であった。
【０００７】
本発明は、上記の欠点を除くようにしたものである。
【課題を解決するための手段】
【０００８】
本発明のブラウン管の防爆用バンドの取外し方法は、ブラウン管に巻かれた防爆用バンドの端部をブラウン管から引きはがす工程と、この引きはがされた端部を互いに隣接する複数の棒状の爪によって挟む工程と、上記爪をこれら爪に共通な軸の周りに回動して上記防爆用バンドを巻き取る工程と、上記爪を上記共通の軸の周りに回動すると同時に上記ブラウン管を上記爪の回動方向と同一方向に、上記ブラウン管のパネル表面の中心と上記ブラウン管のネック部を通る軸線を中心として回動する工程と、
より成ることを特徴とする。
【００１０】
また、本発明のブラウン管の防爆用バンドの取外し方法においては、上記防爆用バンドがガイドによって支持されながら巻き取られることを特徴とする。
【発明の効果】
【００１１】
本発明のブラウン管の防爆用バンドの取外し方法によれば、防爆用バンドをブラウン管から容易に取り外し、小さな直径の塊りとすることができ、簡単に移動処理できるようになる。
【図面の簡単な説明】
【００１２】
【図１】本発明の防爆用バンドの引きはがし方法を示すブラウン管の正面図である。
【図２】図１に示すブラウン管の平面図である。
【図３】本発明の防爆用バンドの巻き取り工程説明図である。
【図４】本発明による防爆用バンドの巻き取り工程説明図である。
【図５】従来のブラウン管の正面図である。
【図６】図４に示すブラウン管の平面図である。
【発明を実施するための最良の形態】
【００１３】
以下図面によって本発明の実施例を説明する。
【実施例１】
【００１４】
本発明においては図１に示すようにブラウン管１の周りに巻かれた防爆用バンド５をカッター等で切断し、防爆用バンド５の切断端をブラウン管１の周りから引きはがし、この引きはがした端部６を、図２に示すように互いに隣接せしめた複数の例えば４本の、直径例えば１６ｍｍの棒状の爪７で表、裏から挟み、図３に示すようにこの爪７を一体にこれら爪に共通の縦軸を中心として例えば時計方向に回動してバンド５を巻き取り、同時にブラウン管１も上記パネル２の表面の中心と上記ネック部４を通る軸線を中心として同一の方向例えば時計方向に回動せしめる。この際巻き取られるバンド５はＬ型ガイド８によってガイドしこの結果、巻き取られたバンド５は図４に示すように例えば直径１５０ｍｍの小さな塊り９のようになるからその処理及び搬送が極めて容易となる。
【００１５】
棒状の爪７は、防爆用バンドを挟むことのできる２本以上を備えればよいが、好ましくは４〜６本がよい。４本以上であればバンドのつかみ易さが向上し、６本を超えると設計コストが高価となってしまう。爪７の直径はバンド５の厚みや強度にもよるが、１０〜２０ｍｍであればよい。爪７の材質には、例えば焼入れ丸鋼などを使用できる。
【００１６】
バンド５の巻取り時の回動速度は、例えば１０〜２００ｍｍ／ｓとすることができる。
【００１７】
Ｌ型ガイド８は処理対象のブラウン管の大きさによるが、一辺を３０〜１００ｃｍ程度とすることができる。Ｌ字型の内角は６０°〜１２０°であればよい。Ｌ型ガイド８の材質には、例えばステンレス鋼などを使用できる。
【符号の説明】
【００１８】
１  ブラウン管
２  パネル
３  ファンネル
４  ネック部
５  防爆用バンド
６  端部
７  爪
８  ガイド
９  塊り
【図１】
0005770008.tif 000002
【図２】
0005770008.tif 000003
【図３】
0005770008.tif 000004
【図４】
0005770008.tif 000005
【図５】
0005770008.tif 000006
【図６】
0005770008.tif 000007
(57)【特許請求の範囲】
【請求項１】
（イ）クッション性を具備したクッション本体（１）を椅子に置いて使用する際、クッション本体（１）の前方部（１１）を正面にし、後方部（１２）は背中にしてクッション本体（１）を置いて使用し、
（ロ）クッション本体（１）の前方部（１１）を正面にして、クッション本体（１）の左右底面部の側面中央に伸縮性のあるゴムバンド留め具（３）の一端を取り付け、
（ハ）ゴバンド留め具（３）の他端には、足回りの冷えを防止するための左方ひざ掛け布（７）と右方ひざ掛け布（４）を取付け、左方ひざ掛け布（７）と右方ひざ掛け布（４）を下方に伸ばし、
（二）クッション本体（１）のゴムバンド留め具（３）が取り付けられている側面両端には、左方ひざ掛け布（７）と右方ひざ掛け布（４）が収納できる開口部（６）を設け、この左右に設けられている開口部（６）にファスナー（２）を取付け、収納時の開閉を行うように設ける。
以上のように構成されたひざ掛け具。
【発明の詳細な説明】
【技術分野】
【０００１】  本発明は、女性の血行不良を抑えるひざ掛け具に関するものである。
【背景技術】
【０００２】  従来、女性の血行不良を抑える、ひざ掛けクッションの冷え予防具はありませんでした。
【発明の概要】
【発明が解決しようとする課題】
【０００３】  従来のひざ掛けは使用しているとすぐに滑り落ちたり、ひざ掛け単体の為、持ち運びに配慮がされず、不便であった。更に、ひざ掛け機能として使用する時、ずれて安定性がなかった。又、ひざ掛け使用後の収納スペースの確保も必要であった。  本発明は、風邪の対策、体温低下を防ぎ、女性の悩みを解消する為のものである。
【課題を解決するための手段】【０００４】
【課題を解決するための手段】
（イ）  クッション本体（１）を椅子に置いて使用する際、クッション本体（１）の前方部（１１）を正面にし、後方部（１２）は背中にしてクッション本体（１）を置いて使用し、
（ロ）  クッション本体（１）の前方部（１１）を正面にして、クッション本体（１）の左右底面部の側面中央に伸縮性のあるゴムバンド留め具（３）の一端を取り付け、
（ハ）  ゴムバンド留め具（３）の他端には、足回りの冷えを防止するための左方ひざ掛け布（７）と右方ひざ掛け布（４）を取付け、左方ひざ掛け布（７）と右方ひざ掛け布（４）を下方に伸ばし、
（二）  クッション本体（１）のゴムバンド留め具（３）が取り付けられている側面両端には、左方ひざ掛け布（７）と右方ひざ掛け布（４）が収納できる開口部（６）を設け、この左右に設けられている開口部（６）にファスナー（２）を取付け、収納時の開閉を行うように設ける。
以上の構成よりなるひざ掛け具。
【発明の効果】
【０００５】    春夏秋冬の季節を選ばず、オフィス、車中、自宅でも、特に女性は冷え性であるので普段からひざ掛けを準備しなくても、クッション本体の両端側面には左方ひざ掛け布と右方ひざ掛け布が収納してあり、使用時は両端側面から取出しすぐ使用でき保温性を保つことができ、女性の冷え性などの予防ができ便利である。又、上下開閉式ファスナーで止める事によりクッションカバーとしても使用する事ができ、収納を簡単にできる。ソファー・座椅子・座布団などは、ひざ掛け布を着脱可能とする事で上掛けとしても使用できるので、使用用途の範囲も広がり、便利である。
【図面の簡単な説明】
【０００６】
【図１】本発明の平面図
【図２】本発明の使用状態を示す図
【図３】本発明の椅子に座って使用している状態図
【図４】本発明のクッション本体にひざ掛け布を収納した状態図
【発明を実施するための形態】
【０００７】  以下、本発明の実施の形態を説明する。
本発明では、クッション本体はクッション性のある例えば座布団の綿や羽毛・スポンジ状の弾力のあるクッション材等を用いたクッションで座椅子やソファーの背もたれに使用される。
（イ）クッション性を具備したクッション本体（１）を椅子に置いて使用する際、クッション本体（１）の前方部（１１）を正面にし、後方部（１２）は背中にしてクッション本体（１）を置いて使用する。
（ロ）クッション本体（１）の前方部（１１）を正面にして、クッション本体（１）の左右底面部の側面中央に伸縮性のあるゴムバンド留め具（３）の一端を取り付け、ゴムバンド留め具（３）の他端には、足回りの冷えを防止するための左方ひざ掛け布（７）と右方ひざ掛け布（４）を取付け縫製する。左方ひざ掛け布（７）と右方ひざ掛け布（４）は下方に伸びている、夫々のひざ掛け布は保温性を保つ素材の布が用いられている。
（ハ）クッション本体（１）のゴムバンド留め具（３）が取り付けられている側面両端には、左方ひざ掛け布（７）と右方ひざ掛け布（４）が収納できる開口部（６）を設けてある。この左右に設けられている開口部（６）にはファスナー（２）が取付けられ、収納時の開閉を行う。
本発明は以上のような構造である。
【０００８】本発明を使用する時は、（イ）クッション本体（１）をクッション本体（１）の前方部（１１）を正面にし、椅子に置いて使用する際、後方部（１２）は背中にしてクッション本体（１）を置いて使用する。（ロ）クッション本体（１）に収納されている左方ひざ掛け布（７）と右方ひざ掛け布（４）を開口部（６）のファスナー（２）を開いて左方ひざ掛け布（７）と右方ひざ掛け布（４）を開口部（６）より取り出す。（ハ）椅子に置いたクッション本体（１）の上に座り、ゴムバンド留め具（３）を介して、取り付けてある左方ひざ掛け布（７）と右方ひざ掛け布（４）の上部を掴み、身体前面の腰部中央に左方ひざ掛け布（７）と右方ひざ掛け布（４）を重ね合わせて足元を覆い、左方ひざ掛け布（７）と右方ひざ掛け布（４）の上部に取り付けた面ファスナー（５）で留める。左方ひざ掛け布（７）と右方ひざ掛け布（４）には面ファスナー（５）  が取付けてあるのでひざからずれ落ちることはない。（ニ）使用後は左方ひざ掛け布（７）と右方ひざ掛け布（４）をクッション本体（１）収納するために左右の開口部（６）より、夫々のひざ掛け布を挿入し収納し、開閉式ファスナー（２）でとめる。又、ひざ掛けが必要ない時はひざ掛け布を収納し座布団  又は枕としても使用できる。
【符号の説明】
【０００９】  １クッション本体、２ファスナー、３ゴムバンド留め具、４右方ひざ掛け布、５面ファスナー  ６開口部、７左方ひざ掛け布、１１前方部、１２後方部
【図１】
0005770678.tif 000002
【図２】
0005770678.tif 000003
【図３】
0005770678.tif 000004
【図４】
0005770678.tif 000005
(57)【特許請求の範囲】
【請求項１】
建物の開口周りに枠を取り付け、また、該枠より僅か小径の楕円または円形の弾性体を平鋼バネ等で形成し、該周囲４ヶ所にボルト通し孔を開け、また、コ状の取り付け器を形成し、該底の中心から下方に下部を開口した長孔を開けると共に該取り付け器の底に重ねるテーパライナーを形成し、該テーパライナーには取り付け器と同じ長孔を開け、而して、弾性体を枠にボルトナットで仮締めし、枠と弾性体の隙間から見えるボルトに取り付け器を嵌入し、次いで、テーパライナーを打ち込んで密着し、然る後、ボルトナットを締め付け、枠と弾性体を一体にするようにした建物のクッション性耐震構造。
【発明の詳細な説明】
【技術分野】
【０００１】  地震時、建物と室内の被害を少くした建物のクッション性耐震構造に関する。
【背景技術】
【０００２】  従来、建物の耐震構造は、間口にブレスを筋交い状に取り付けているため、却って建物は硬直化し、その反動で、室内の散乱や破損等の被害は増大する。
【発明の概要】
【発明が解決しようとする課題】
【０００３】  本発明は、弾性体で建物を守り、被害を最小限にすると共に室内の被害も最小限に留めるようにしたものである。
【課題を解決するための手段】
【０００４】  そして、本発明の課題解決手段の図１は、建物の開口周りに枠を取り付け、また、該枠より僅か小径の楕円形の弾性体を平鋼バネ等で形成し、該円周４ヶ所にボルト通し孔を開け、また、コ状の取り付け器を形成し、該底の中心から下方に下部を開口した長孔を開けると共に、該取り付け器の底に重ねるテーパライナーを形成し、該テーパライナーには、取り付け器と同じ長孔を開け、而して、弾性体を枠にボルトナットで仮締めし、枠と弾性体間の隙間から見えるボルトに、取り付け器を嵌入し、次いで、テーパライナーを打ち込んで密着し、然る後、ボルトナットを締め付け、枠と弾性体を一体にするようにしたものである。
図２は、円形の弾性体に、楕円形の弾性体と、ブレスを併用したものである。図３は、住宅に実施したもので、円形の代りに楕円形の弾性体を取り付けてよい。図９は、工場、スーパ等の大型建物に実施した場合で、円形の弾性体にブレスを併用してい。
【発明の効果】
【０００５】  課題解決手段の図１は、建物に楕円形の弾性体を取り付けたので、地震時に、その揺れをゆるやかに吸收し、被害を最小限にすることができる。
したがって、室内もゆるやかに揺れて收まるので、室内の散乱や破損等の被害も少くすることができる。なお、本構造は外観上優美である。
図２は、円形の弾性体に楕円形の弾性体とブレスを併用したので、各の特性が合体して有効に作用し、地震の被害を最小限にすることができる。
図３は、住宅に取り付けたので、被害を最小限にすることができると共に、強風による微妙な揺れに対しても強くなるので、住宅の寿命を延ばすことができる。
図９は、工場やスーパ等の大型建物に円形の弾性体とブレスを併用したので各々の特性を生かして、地震の被害を最小限にすることができる。
【図面の簡単な説明】
【０００６】
【図１】  建物に隋円形の弾性体を取り付けた図
【図２】  円形の弾性体に隋円形の弾性体とブレスを併用した図
【図３】  住宅に円形の弾性体を取り付けた図〔図４〕から〔図８〕は取り付け器の図
【図４】  弾性体を取り付け器で枠に取り付けた図
【図５】  取り付け付け器の正面図
【図６】  図５の左側面図
【図７】  テーパライナーの正面図
【図８】  図７の左側面図
【図９】  工場やスーパ等の大型建物に実施した場合の図
【発明を実施するための形態】
【０００７】  本発明の１は建物の間口に取り付けた枠で清型鋼、Ｉ型鋼等の鋼材で形成している。２は枠より僅か小径の楕円形の弾性体で、平鋼バネ等で形成し、該円周４ケ所にボルト通し孔を開けている。なお、建物が大きい時や地震多発地帯では、平鋼バネ等を複数枚重ねて形成する。
また、５は、コ状の取り付け器で、該底の中心から下方に下部を開けた長孔６を開けている。７はテーパライナーで、該テーパライナー７に取り付け器５と同じ長孔６を開けている。
而して、該弾性体２を枠１にボルトナット８で仮締めし、該枠１と弾性体２間の隙間から見えるボルトに取り付け器５を嵌入し、次いで、テーパライナー７を打ち込んで密着し、然る後、ボルトナット８を締め付け、枠１と弾性体２を一体にする。
なお、テーパライナー７だけでは隙間が埋まらない時に備えて、テーパ無しの平ライナーを用意し、先ず、このライナーを打ち込み、次いで、テーパライナー７を打ち込むようにしたがよい。
また、ボルトナット８には、せん断、引張り等の重荷重がかかるので、ハイテーションボルトナットを使用する。また、ナットは優美さを考えて袋ナットを使用した方がよい。
【０００８】  図２は、円形の弾性体３に楕円形の弾性体２とブレス４を併用している。
【０００９】  図３は、住宅に円形の弾性体３を取り付けている。
【００１０】  図９は、工場、スーパ等の大型建物に実施した場合で、円形の弾性体３にブレス４を併用している。
【００１１】  以上の弾性体２、３は間口に取り付けたが、建屋内の適宜な箇所に取り付けてもよい。また、場合により、取り付け器５を使用せず、テーパライナー７を介して取り付けてよく、枠１を設けずに建物の柱、梁等に直接取り付けてもよい。
【符号の説明】
【００１２】１  枠
２  楕円形の弾性体
３  円形の弾性体
４  ブレス
５  取り付け器
６  長孔
７  テーパライナー
８  ボルトナット
【要約】
【課題】  従来、建物の耐震構造は、間口にブレスを筋交い状に取り付けているため、却って建物は硬直化し、その反動で室内の散乱や破損等の被害は増大する。
【解決手段】  本発明は、間口に楕円形や円形の弾性体を取り付けて構成した。
これにより、地震時に、その揺れをゆるやかに吸收し、建物の被害を最小限にすることができる。したがって、室内もゆるやかな揺れで收まるので室内の散乱や破損等の被害も少くすることができる。
【選択図】図１【図１】
0005770923.tif 000002
【図２】
0005770923.tif 000003
【図３】
0005770923.tif 000004
【図４】
0005770923.tif 000005
【図５】
0005770923.tif 000006
【図６】
0005770923.tif 000007
【図７】
0005770923.tif 000008
【図８】
0005770923.tif 000009
【図９】
0005770923.tif 000010